【手続補正書】
【提出日】平成19年4月16日(2007.4.16)
【手続補正１】
【補正対象書類名】明細書
【補正対象項目名】発明の名称
【補正方法】変更
【補正の内容】
【発明の名称】マルチウィンドウ表示装置及びマルチウィンドウ表示方法
【手続補正２】
【補正対象書類名】明細書
【補正対象項目名】特許請求の範囲
【補正方法】変更
【補正の内容】
【特許請求の範囲】
【請求項１】  複数のビデオデータを入力して、該複数のビデオデータにもとづく画像を、表示画面上の複数のビデオウィンドウ表示部のそれぞれに表示するマルチウィンドウ表示装置であって、
前記複数のビデオウィンドウ表示部の少なくとも１つを選択する選択手段と、
前記選択手段により選択された前記ビデオウィンドウ表示部に対応する前記ビデオデータの選択履歴情報を記憶する記憶手段と、
前記選択履歴情報にもとづいて、前記複数のビデオウィンドウ表示部の前記表示画面上における表示面積を決定する制御手段とを有することを特徴とするマルチウィンドウ表示装置。
【請求項２】  前記制御手段は、時間的により新しく選択された前記ビデオウィンドウ表示部ほど大きい表示面積とし、且つ前記複数のビデオウィンドウ表示部のそれぞれが互いに重ならないように制御することを特徴とする請求項１記載のマルチウィンドウ表示装置。
【請求項３】  前記表示画面上には、前記ビデオデータを出力するビデオ機器を操作するための操作パネル画像を表示する複数の操作パネルウィンドウ表示部がさらに表示され、
前記制御手段は、前記選択されたビデオウィンドウ表示部の前記表示画面上でのそれぞれの表示面積に応じて、前記複数の操作パネルウィンドウ表示部のそれぞれの表示面積を決定することを特徴とする請求項１又は２記載のマルチウィンドウ表示装置。
【請求項４】  前記操作パネル画像は、操作ボタンを有し、
前記制御手段は、前記操作パネルウィンドウ表示部の表示面積の変更に応じて前記操作ボタンの数を変更することを特徴とする請求項３記載のマルチウィンドウ表示装置。
【請求項５】  前記制御手段は、前記選択されたビデオウィンドウ表示部の表示面積の変更に応じて前記表示画面上に表示されている全ての前記ビデオウィンドウ表示部並びに前記操作パネルウィンドウ表示部の表示位置及び表示面積を変更することを特徴とする請求項３又は４記載のマルチウィンドウ表示装置。
【請求項６】  複数のビデオデータを入力して、該複数のビデオデータにもとづく画像を、表示画面上の複数のビデオウィンドウ表示部のそれぞれに表示するマルチウィンドウ表示方法であって、
前記複数のビデオウィンドウ表示部の少なくとも１つを選択する選択ステップと、
前記選択されたビデオウィンドウ表示部に対応する前記ビデオデータの選択履歴情報を記憶する記憶ステップと、
前記選択履歴情報にもとづいて、前記ビデオウィンドウ表示部の前記表示画面上における表示面積を決定する制御ステップとを有することを特徴とするマルチウィンドウ表示方法。
【手続補正３】
【補正対象書類名】明細書
【補正対象項目名】０００１
【補正方法】変更
【補正の内容】
【０００１】
【発明の属する技術分野】
本発明は、複数のデジタルビデオデータのビデオウィンドウ表示と各ビデオデータの操作パネルウィンドウ表示とを制御するマルチウィンドウ表示装置及びマルチウィンドウ表示方法に関する。
【手続補正４】
【補正対象書類名】明細書
【補正対象項目名】０００７
【補正方法】変更
【補正の内容】
【０００７】
本発明は、上記点に着目してなされたものであり、ビデオウィンドウ表示の操作の容易化を実現することができるマルチウィンドウ表示装置及びマルチウィンドウ表示方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するため、請求項１記載のマルチウィンドウ表示装置は、複数のビデオデータを入力して、該複数のビデオデータにもとづく画像を、表示画面上の複数のビデオウィンドウ表示部のそれぞれに表示するマルチウィンドウ表示装置であって、前記複数のビデオウィンドウ表示部の少なくとも１つを選択する選択手段と、前記選択手段により選択された前記ビデオウィンドウ表示部に対応する前記ビデオデータの選択履歴情報を記憶する記憶手段と、前記選択履歴情報にもとづいて、前記複数のビデオウィンドウ表示部の前記表示画面上における表示面積を決定する制御手段とを有することを特徴とする。
【手続補正６】
【補正対象書類名】明細書
【補正対象項目名】０００９
【補正方法】変更
【補正の内容】
【０００９】
請求項２記載のマルチウィンドウ表示装置は、請求項１記載のマルチウィンドウ表示装置において、前記制御手段は、時間的により新しく選択された前記ビデオウィンドウ表示部ほど大きい表示面積とし、且つ前記複数のビデオウィンドウ表示部のそれぞれが互いに重ならないように制御することを特徴とする。
【手続補正７】
【補正対象書類名】明細書
【補正対象項目名】００１０
【補正方法】変更
【補正の内容】
【００１０】
請求項３記載のマルチウィンドウ表示装置は、請求項１又は２記載のマルチウィンドウ表示装置において、前記表示画面上には、前記ビデオデータを出力するビデオ機器を操作するための操作パネル画像を表示する複数の操作パネルウィンドウ表示部がさらに表示され、前記制御手段は、前記選択されたビデオウィンドウ表示部の前記表示画面上でのそれぞれの表示面積に応じて、前記複数の操作パネルウィンドウ表示部のそれぞれの表示面積を決定することを特徴とする。
【手続補正８】
【補正対象書類名】明細書
【補正対象項目名】００１１
【補正方法】変更
【補正の内容】
【００１１】
請求項４記載のマルチウィンドウ表示装置は、請求項３項記載のマルチウィンドウ表示装置において、前記操作パネル画像は、操作ボタンを有し、前記制御手段は、前記操作パネルウィンドウ表示部の表示面積の変更に応じて前記操作ボタンの数を変更することを特徴とする。
【手続補正９】
【補正対象書類名】明細書
【補正対象項目名】００１２
【補正方法】変更
【補正の内容】
【００１２】
請求項５記載のマルチウィンドウ表示装置は、請求項３又は４記載のマルチウィンドウ表示装置において、前記制御手段は、前記選択されたビデオウィンドウ表示部の表示面積の変更に応じて前記表示画面上に表示されている全ての前記ビデオウィンドウ表示部並びに前記操作パネルウィンドウ表示部の表示位置及び表示面積を変更することを特徴とする。
【手続補正１０】
【補正対象書類名】明細書
【補正対象項目名】００１３
【補正方法】変更
【補正の内容】
【００１３】
請求項６記載のマルチウィンドウ表示方法は、複数のビデオデータを入力して、該複数のビデオデータにもとづく画像を、表示画面上の複数のビデオウィンドウ表示部のそれぞれに表示するマルチウィンドウ表示方法であって、前記複数のビデオウィンドウ表示部の少なくとも１つを選択する選択ステップと、前記選択されたビデオウィンドウ表示部に対応する前記ビデオデータの選択履歴情報を記憶する記憶ステップと、前記選択履歴情報にもとづいて、前記ビデオウィンドウ表示部の前記表示画面上における表示面積を決定する制御ステップとを有することを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３４
【補正方法】変更
【補正の内容】
【００３４】
本発明の第１の実施の形態に係るマルチウィンドウ表示システムは、複数のデジタルビデオ機器１１と、これらのデジタルビデオ機器１１にセットトップＢＯＸ９を介して接続され、複数のデジタルビデオ機器１１から入力したビデオデータにもとづいて、該ビデオデータに対応するビデオウィンドウと操作パネルとを表示画面上に表示することができる高解像度大画面表示装置１とを備えている。デジタルビデオ機器１１は、圧縮されたデジタルビデオデータや操作パネル情報をデジタルシリアルバス１０を介してセットトップＢＯＸ９に送る。
【手続補正３０】
【補正対象書類名】明細書
【補正対象項目名】００３５
【補正方法】変更
【補正の内容】
【００３５】
高解像度大画面表示装置１は、ポインター２３（選択手段）により選択されたデジタルビデオデータを自動的に最大の表示サイズに拡大し表示する主画面ビデオウィンドウ表示部２と、現在主画面ビデオウィンドウ表示部２に表示されているデジタルビデオデータの直前にポインター２３により選択されたデジタルビデオデータを表示し、主画面ビデオウィンドウ表示部２よりも表示面積の小さい子画面ビデオウィンドウ表示部３と、同様に子画面ビデオウィンドウ表示部３よりも表示面積の小さい子画面ビデオウィンドウ表示部４と、さらに子画面ビデオウィンドウ表示部４よりも表示面積の小さい子画面ビデオウィンドウ表示部５と、子画面ビデオウィンドウ表示部３〜５のデジタルビデオデータ全体の操作系を統合した操作パネル画像を表示する操作パネルウィンドウ表示部６と、主画面ビデオウィンドウ表示部２のデジタルビデオデータのみに対応した操作パネル画像を表示する操作パネルウィンドウ表示部７とを備えている。ここで、操作パネルウィンドウ表示部７は、主画面ビデオウィンドウ表示部２を詳細に制御できるように、細かい制御内容を指示する指示ボタンが表示される一方、操作パネルウィンドウ表示部６は子画面ビデオウィンドウ表示部３〜５の最少限の制御内容を指示する指示ボタンが表示される。
【手続補正３１】
【補正対象書類名】明細書
【補正対象項目名】００３９
【補正方法】変更
【補正の内容】
【００３９】
複数の圧縮ビデオデータデコーダ１４はＩ／Ｏ制御部１９から１チップマイクロコンピュータ１７経由で供給される圧縮されたデジタルビデオデータを非圧縮デジタルビデオデータに変換し、複数のビデオ表示用メモリ１５は各圧縮ビデオデータデコーダ１４により作業領域として使用され、作業後の非圧縮デジタルビデオデータが格納される。
【手続補正３２】
【補正対象書類名】明細書
【補正対象項目名】００４２
【補正方法】変更
【補正の内容】
【００４２】
ポインター２３による移動前の位置からの相対的移動情報はＩ／Ｏ制御部１９に直接伝達される。さらに相対的移動情報は１チップマイクロコンピュータ１７に内部システムバス２１経由で伝達され、１チップマイクロコンピュータ１７は高解像度大画面表示装置１の画面上の位置に対応するグラフィック表示用メモリ１８の位置に矢印を形成する。
【手続補正３３】
【補正対象書類名】明細書
【補正対象項目名】００５８
【補正方法】変更
【補正の内容】
【００５８】
拡大中の枠の縦横比は不揮発性フラッシュメモリ２４に記憶されている選択履歴情報にもとづいて、変更以前のウィンドウ表示枠の形状から決定される。
【手続補正３４】
【補正対象書類名】明細書
【補正対象項目名】００８３
【補正方法】変更
【補正の内容】
【００８３】
【発明の効果】
以上詳細に説明したように、請求項１のマルチウィンドウ表示装置によれば、選択手段がビデオウィンドウ表示部の１つを選択した場合に、選択履歴情報にもとづいて選択されたビデオウィンドウ表示部の表示面積が決定されるので、複数のビデオウィンドウ表示部の表示面積を手動で調整する必要がなくなり、ビデオウィンドウ表示の操作の容易化を実現することができる。また、請求項２のマルチウィンドウ表示装置によれば、時間的により新しく選択されたビデオウィンドウ表示部ほど、マルチウィンドウ表示装置の表示画面上で大きく表示されるように、且つ複数のビデオウィンドウ表示部がマルチウィンドウ表示装置の表示画面上でそれぞれ互いに重ならないように、表示位置及び大きさが決定されるので、複数のビデオウィンドウ表示部の大きさを手動で調整する必要がなくなり、更にビデオウィンドウ表示の操作の容易化を実現することができる。
【手続補正３５】
【補正対象書類名】明細書
【補正対象項目名】００８４
【補正方法】変更
【補正の内容】
【００８４】
請求項３のマルチウィンドウ表示装置によれば、選択されたビデオウィンドウ表示部の一つの大きさの変更に応じて選択されたビデオウィンドウ表示部の一つに対応する操作パネルウィンドウ表示部の大きさが変更されるので、操作パネルウィンドウ表示の大きさを手動で調整する必要がなくなり、煩雑な操作の負担を軽減できる。
【手続補正３６】
【補正対象書類名】明細書
【補正対象項目名】００８５
【補正方法】削除
【補正の内容】
【手続補正３７】
【補正対象書類名】明細書
【補正対象項目名】００８６
【補正方法】変更
【補正の内容】
【００８６】
請求項４のマルチウィンドウ表示装置によれば、選択された操作パネルウィンドウ表示部の一つの大きさの変更に応じて操作パネルウィンドウ表示部の操作ボタンの数が変更されるので、操作ボタンの数が増加し、より詳細な制御が可能になる。又は操作ボタンの数が減少し、より簡素な操作を実現することができる。